(57)【特許請求の範囲】
【請求項１】
機器本体と、該機器本体に対してアナログ情報を入力するためのアナログ入力部とを、前記アナログ情報の入力信号を前記機器本体に送信するアナログ入力線路を介して接続してなる火災報知機器に設けられる、前記アナログ入力部及びその周辺部の障害を監視するためのアナログ入力部障害監視システムであって、
前記アナログ入力線路に所定値のテスト信号を出力するため前記アナログ入力線路に接続された終端部を設け、
前記機器本体には、前記アナログ入力線路に前記所定値のテスト信号が出力されるよう前記終端部に対し所定の監視タイミングにて信号を出力する出力部と、前記所定の監視タイミングを基準とする所定の同期タイミングにおいて前記アナログ入力線路を介して入力された入力信号の値を判断することにより前記アナログ入力部及びその周辺部の障害の有無を判断する判断部とを設け、
前記機器本体と前記アナログ入力部と前記終端部とを、アドレス信号を送信するためのアドレス線路にて接続し、
前記終端部には、前記アドレス線路からの信号が全てＬＯＷ状態の場合にＨＩ状態の信号を出力するＮＯＲ回路と、該ＮＯＲ回路からＨＩ状態の信号が出力された場合に前記アナログ入力線路に前記所定値のテスト信号を出力するアナログスイッチとを設け、
前記機器本体の判断部は、前記出力部からのアドレス信号が全てＬＯＷ状態の場合に、前記入力信号が所定値であれば前記アナログ入力部に障害がないと判断し、前記入力信号が所定値以外であれば前記アナログ入力部及びその周辺部に障害があると判断することを特徴とする火災報知機器におけるアナログ入力部障害監視システム。
【請求項２】
機器本体と、該機器本体に対してアナログ情報を入力するためのアナログ入力部とを、前記アナログ情報の入力信号を前記機器本体に送信するアナログ入力線路を介して接続してなる火災報知機器に設けられる、前記アナログ入力部及びその周辺部の障害を監視するためのアナログ入力部障害監視システムであって、
前記アナログ入力線路に所定値のテスト信号を出力するため前記アナログ入力線路に接続された終端部を設け、
前記機器本体には、前記アナログ入力線路に前記所定値のテスト信号が出力されるよう前記終端部に対し所定の監視タイミングにて信号を出力する出力部と、前記所定の監視タイミングを基準とする所定の同期タイミングにおいて前記アナログ入力線路を介して入力された入力信号の値を判断することにより前記アナログ入力部及びその周辺部の障害の有無を判断する判断部とを設け、
前記機器本体と前記アナログ入力部と前記終端部とを、アドレス信号を送信するためのアドレス線路にて接続し、
前記終端部には、前記アドレス線路からの信号が全てＨＩ状態の場合にＬＯＷ状態の信号を出力するＮＯＲ回路と、該ＮＯＲ回路からＬＯＷ状態の信号が出力された場合に前記アナログ入力線路に対する前記所定値のテスト信号の出力を停止するアナログスイッチとを設け、
前記機器本体の判断部は、前記出力部からのアドレス信号が全てＨＩ状態の場合に、前記入力信号があれば前記アナログ入力部及びその周辺部に障害があると判断し、前記入力信号がなければ前記アナログ入力部に障害がないと判断することを特徴とする火災報知機器におけるアナログ入力部障害監視システム。
【請求項３】
前記機器本体には、前記所定の監視タイミングを決定するタイマを設けたことを特徴とする前記請求項１又は２に記載の火災報知機器におけるアナログ入力部障害監視システム。
【発明の詳細な説明】
【０００１】
【発明の属する技術分野】
本発明は、火災報知機器に接続されたアナログ入力部における障害を監視するための、火災報知機器におけるアナログ入力部障害監視システムに関する。
【０００２】
【従来の技術】
従来より火災報知器等の火災報知機器には、火災感知器等からのアナログ入力信号を機器本体に対して入力するためのアナログ入力部が接続されている。図２には従来の火災報知機器における機器本体としてのＣＰＵ基盤１０１及びアナログ入力部としての複数のアナログ入力基盤１１０Ａ〜１１０Ｃの要部回路図を示す。この図２においてＣＰＵ基盤１０１は、出力部１０２及びＡ／Ｄコンバータ１０３を備えて構成されている。また各アナログ入力基盤１１０Ａ〜１１０Ｃは、コンパレータ１１１Ａ〜１１１Ｃ、ディップスイッチ１１２Ａ〜１１２Ｃ、アナログスイッチＳＷ１０１〜ＳＷ１０３を備えて構成されている。またＣＰＵ基盤１０１の出力部１０２とアナログ入力基盤１１０Ａ〜１１０Ｃのコンパレータ１１１Ａ〜１１１Ｃの入力端子Ａ０〜Ａ２とはアドレス線路１２０ａ〜１２０ｃを介して接続され、ＣＰＵ基盤１０１のＡ／Ｄコンバータ１０３とアナログ入力基盤１１０Ａ〜１１０ＣのアナログスイッチＳＷ１０１〜ＳＷ１０３とはアナログ入力線路１２１を介して接続されている（なお実際にはこれらアドレス線路１２０ａ〜１２０ｃ及びアナログ入力線路１２１はコネクタとして一体に又は分離して構成されている）。
【０００３】
このように構成された火災報知機器において、ＣＰＵ基盤１０１の出力部１０２から、所定のポーリングタイミングにて各アドレス線路１２０ａ〜１２０ｃにＨＩ状態又はＬＯＷ状態（所定の電圧値を閾値として決められる２状態、以下同じ）のアドレス信号が順次異なる組合せにて送信され、この組合せに応じてアナログスイッチＳＷ１０１〜ＳＷ１０３が順次閉状態とされ、アナログ入力１〜３がアナログスイッチＳＷ１０１〜ＳＷ１０３及びアナログ入力線路１２１を介して順次ＣＰＵ基盤１０１のＡ／Ｄコンバータ１０３へ入力可能とされる。またＣＰＵ基盤１０１の図示しない中央制御部では、前記ポーリングタイミングと同期をとった所定のタイミングでＡ／Ｄコンバータ１０３への入力信号の有無が監視され、その有無によってアナログ入力１〜３の有無が判断される。
【０００４】
【発明が解決しようとする課題】
このような従来の火災報知機器において、ＣＰＵ基盤とアナログ入力基盤とを接続するためのコネクタやアナログ入力基盤内のアナログスイッチ等の内部素子に断線・接触不良等の障害が生じる場合がある。このような障害が生じた場合、従来の火災報知機器は上述のように単にアナログ入力の有無等を判断するものとしてのみ構成されており、その障害を監視する機能を有していなかったので、定期点検時に模擬的なアナログ入力を行うまで、あるいは実際の火災発生時にアナログ入力があるまで、その障害が発見できなかった。特に火災報知機器は民生機器と異なり常時使用されるものではないため、障害の発見が困難であった。
しかし模擬的なアナログ入力を行うことによる定期点検は人手を要するために点検コストが高くなり好ましくなく、また常時正常に作動することが求められる火災報知機器にとっては、火災が発生する以前の早期の段階で障害を発見することが求められていた。
【０００５】
本発明は、従来のこのような問題点に鑑みてなされたもので、人手を介することなく早期に障害を発見することのできる、火災報知機器におけるアナログ入力部障害監視システムを提供することを目的とする。
【０００６】
【課題を解決するための手段】
このような目的を達成するために請求項１に記載の本発明は、機器本体と、該機器本体に対してアナログ情報を入力するためのアナログ入力部とを、前記アナログ情報の入力信号を前記機器本体に送信するアナログ入力線路を介して接続してなる火災報知機器に設けられる、前記アナログ入力部及びその周辺部の障害を監視するためのアナログ入力部障害監視システムであって、前記アナログ入力線路に所定値のテスト信号を出力するため前記アナログ入力線路に接続された終端部を設け、前記機器本体には、前記アナログ入力線路に前記所定値のテスト信号が出力されるよう前記終端部に対し所定の監視タイミングにて信号を出力する出力部と、前記所定の監視タイミングを基準とする所定の同期タイミングにおいて前記アナログ入力線路を介して入力された入力信号の値を判断することにより前記アナログ入力部及びその周辺部の障害の有無を判断する判断部とを設け、前記機器本体と前記アナログ入力部と前記終端部とを、アドレス信号を送信するためのアドレス線路にて接続し、前記終端部には、前記アドレス線路からの信号が全てＬＯＷ状態の場合にＨＩ状態の信号を出力するＮＯＲ回路と、該ＮＯＲ回路からＨＩ状態の信号が出力された場合に前記アナログ入力線路に前記所定値のテスト信号を出力するアナログスイッチとを設け、前記機器本体の判断部は、前記出力部からのアドレス信号が全てＬＯＷ状態の場合に、前記入力信号が所定値であれば前記アナログ入力部に障害がないと判断し、前記入力信号が所定値以外であれば前記アナログ入力部及びその周辺部に障害があると判断することを特徴として構成されている。
【０００７】
また請求項２に記載の本発明は、機器本体と、該機器本体に対してアナログ情報を入力するためのアナログ入力部とを、前記アナログ情報の入力信号を前記機器本体に送信するアナログ入力線路を介して接続してなる火災報知機器に設けられる、前記アナログ入力部及びその周辺部の障害を監視するためのアナログ入力部障害監視システムであって、前記アナログ入力線路に所定値のテスト信号を出力するため前記アナログ入力線路に接続された終端部を設け、前記機器本体には、前記アナログ入力線路に前記所定値のテスト信号が出力されるよう前記終端部に対し所定の監視タイミングにて信号を出力する出力部と、前記所定の監視タイミングを基準とする所定の同期タイミングにおいて前記アナログ入力線路を介して入力された入力信号の値を判断することにより前記アナログ入力部及びその周辺部の障害の有無を判断する判断部とを設け、前記機器本体と前記アナログ入力部と前記終端部とを、アドレス信号を送信するためのアドレス線路にて接続し、前記終端部には、前記アドレス線路からの信号が全てＨＩ状態の場合にＬＯＷ状態の信号を出力するＮＯＲ回路と、該ＮＯＲ回路からＬＯＷ状態の信号が出力された場合に前記アナログ入力線路に対する前記所定値のテスト信号の出力を停止するアナログスイッチとを設け、前記機器本体の判断部は、前記出力部からのアドレス信号が全てＨＩ状態の場合に、前記入力信号があれば前記アナログ入力部及びその周辺部に障害があると判断し、前記入力信号がなければ前記アナログ入力部に障害がないと判断することを特徴として構成されている。
【０００８】
また請求項３に記載の本発明は、請求項１又は２に記載の本発明において、前記機器本体には、前記所定の監視タイミングを決定するタイマを設けたことを特徴として構成されている。
【０００９】
【発明の実施の形態】
以下、本発明の一実施形態について図面を参照して詳細に説明する。図１は火災報知機器における機器本体としてのＣＰＵ基盤１、アナログ入力部としてのアナログ入力基盤１０Ａ〜１０Ｃ及び終端部としての終端基盤３０の要部回路図を示す。
【００１０】
ＣＰＵ基盤１は、出力部２、Ａ／Ｄコンバータ３、タイマ４、及び監視制御部５を備えて構成されている。このうち出力部２はアナログ入力基盤１０Ａ〜１０Ｃに対してＨＩ状態又はＬＯＷ状態のアドレス信号を出力するもので、従来と同様に図示しない中央制御部の制御に基づいた所定のポーリングタイミングで出力を行う他、監視制御部５の制御に基づいた所定の監視タイミングで出力を行う。またＡ／Ｄコンバータ３は従来と同様にアナログ入力基盤１０からの入力信号をＡ／Ｄ変換する。またタイマ４は上述の所定の監視タイミングを決定するための所定時間の経過を測定を測定し、所定時間経過毎にカウントアップ信号を出力する。また監視制御部５は、出力部２、Ａ／Ｄコンバータ３、及びタイマ４を制御するもので、具体的にはＩＣ素子とプログラムにより、必要に応じて図示しない中央制御部又はその他の制御部と一体に又は分離して構成される。この監視制御部５には判断部６が設けられており、この判断部６はＡ／Ｄコンバータ３を介して受信した入力信号の状態に基づいてアナログ入力基盤１０Ａ〜１０Ｃの障害（より正確にはアナログ入力基盤１０Ａ〜１０Ｃ以外の周辺機器の障害を含むがこの点については後述する）の有無を判断する。
【００１１】
一方、アナログ入力基盤１０Ａ〜１０Ｃは、従来と全く同様に、コンパレータ１１Ａ〜１１Ｃ、ディップスイッチ１２Ａ〜１２Ｃ、アナログスイッチＳＷ１〜ＳＷ３を図示のように備えて構成されている。このうちコンパレータ１１Ａ〜１１Ｃはその入力端子Ａ０〜Ａ２においてＨＩ状態又はＬＯＷ状態のアドレス信号を受信し、この受信したアドレス信号をディップスイッチ１２Ａ〜１２Ｃの設定に従って出力端子Ｂ０〜Ｂ２に設定された信号と比較し、その比較結果に応じて信号を出力端子に出力する。
【００１２】
例えばアナログ入力基盤１０Ａのディップスイッチ１２Ａは図示左から順にＯＮ、ＯＦＦ、ＯＦＦと設定されており、したがってコンパレータ１１Ａは入力端子Ａ０にＨＩ状態の信号、入力端子Ａ１、Ａ２にＬＯＷ状態の信号を入力された場合にのみ信号を出力する。同様に、コンパレータ１１Ｂは入力端子Ａ１にＨＩ状態の信号を入力されると共に入力端子Ａ０、Ａ２にＬＯＷ状態の信号を入力された場合、コンパレータ１１Ｃは入力端子Ａ０、Ａ１にＨＩ状態の信号を入力されると共に入力端子Ａ２にＬＯＷ状態の信号を入力された場合に信号を出力する（すなわちコンパレータ１１Ａ〜１１Ｃは、入力端子Ａ０〜Ａ２全てにＬＯＷ状態の信号を入力された場合あるいは全てにＨＩ状態の信号を入力された場合には信号を出力しないように設定されている）。
このようにコンパレータ１１Ａ〜１１Ｃから出力された信号はアナログスイッチＳＷ１〜ＳＷ３にコントロール信号として入力され、これによりアナログスイッチＳＷ１〜ＳＷ３は閉状態に駆動され、したがってアナログ入力１〜３はアナログスイッチＳＷ１〜ＳＷ３を介して後述するアナログ入力線路２１に出力可能とされる。
【００１３】
またＣＰＵ基盤１の出力部２とアナログ入力基盤１０Ａ〜１０Ｃのコンパレータ１１Ａ〜１１Ｃの入力端子Ａ０〜Ａ２とはアドレス線路２０ａ〜２０ｃを介して図示のように接続され、ＣＰＵ基盤１のＡ／Ｄコンバータ３とアナログ入力基盤１０Ａ〜１０ＣのアナログスイッチＳＷ１〜ＳＷ３とはアナログ入力線路２１を介して図示のように接続されている（なお実際にはこれらアドレス線路２０ａ〜２０ｃ及びアナログ入力線路２１はコネクタとして一体に又は分離して構成されている）。
【００１４】
ここで本システムにおいては、終端部たる終端基盤３０が設けられている。この終端基盤３０は、アドレス線路２０ａ〜２０ｃを入力とするＮＯＲ回路３１と、該ＮＯＲ回路３１にて出力された信号をコントロール信号として入力されるもので、閉状態において所定値（電圧値）のテスト信号をアナログ入力線路２１に出力するアナログスイッチＳＷ４とを備えて構成されている（ここで所定値とは、Ｖｃｃ電圧を抵抗Ｒ１、Ｒ２で分圧することにより決定される）。この終端基盤３０の機能については後述する。
【００１５】
このように構成された火災報知機器において、従来と同様の手順によってアナログ入力基盤１０Ａ〜１０Ｃにおけるアナログ入力の有無等が判断される。すなわちＣＰＵ基盤１の出力部２から、所定のポーリングタイミングにて各アドレス線路２０ａ〜２０ｃにＨＩ状態又はＬＯＷ状態のアドレス信号が順次異なる組合せにて送信され、この組合せに応じてアナログスイッチＳＷ１〜ＳＷ３が順次閉状態とされ、アナログ入力１〜３がアナログスイッチＳＷ１〜ＳＷ３及びアナログ入力線路２１を介して順次ＣＰＵ基盤１のＡ／Ｄコンバータ３へ入力可能とされる。またＣＰＵ基盤１の図示しない中央制御部では、前記ポーリングタイミングと同期をとった所定のタイミングでＡ／Ｄコンバータ３への入力信号の有無が監視され、その有無によってアナログ入力１〜３の有無が判断される。例えばアナログスイッチＳＷ１のみを閉状態とした際に、アナログ入力線路２１を介して入力信号が入力された場合には、アナログ入力１が存在すると判断される。
【００１６】
ここで本実施形態における火災報知機器においては、アナログ入力基盤１０Ａ〜１０Ｃにおける障害の発生の有無が所定の監視タイミングにて監視される。以下、この障害監視動作について説明する。
まずＣＰＵ基盤１の監視制御部５は、前記ポーリングタイミングとは独立して予め設定された監視タイミングで出力部２を制御し、出力部２からは、アドレス線路２０ａ〜２０ｃの全てにＬＯＷ状態のアドレス信号（以下、監視アドレス信号）が送信される。ここで監視タイミングとは、監視制御部５に対する電源投入時、及びタイマ４にて計測された所定時間経過毎（例えば１週間毎）である。すなわち監視制御部５は、自己に対する電源投入時に監視アドレス信号の出力を命じるようにプログラム設定されており、またタイマ４からのカウントアップ信号を所定間隔で監視して該カウントアップ信号を検出した際に監視アドレス信号の出力を命じるようにプログラム設定されている。
【００１７】
このような監視制御部５の制御によって出力部２から監視アドレス信号が出力されると、上述のようにアナログスイッチＳＷ１〜ＳＷ３は開状態となる。また終端基盤３０のＮＯＲ回路３１においては、その入力が全てＬＯＷとなるためにＨＩ状態の信号が出力され、これによってアナログスイッチＳＷ４が閉状態に駆動される。したがってアナログスイッチＳＷ４からは上述のように所定値のテスト信号が出力され、この信号がアナログ入力線路２１に入力される。
【００１８】
またＣＰＵ基盤１の判断部６では、前記監視タイミングを基準とする所定の同期タイミング（監視タイミングと同時又は時間遅れを考慮した微少時間後）でＡ／Ｄコンバータ３へ入力された入力信号の値を監視し、その値に基づいて、アナログ入力基盤１０Ａ〜１０Ｃにおける障害の有無を判断する。具体的には、出力部２からアナログスイッチＳＷ４に至る経路（すなわちアドレス線路２０ａ〜２０ｃ、ＮＯＲ回路３１）に断線・破損等の障害がない場合にはアナログスイッチＳＷ４が閉状態に駆動され、またアナログスイッチＳＷ４からＡ／Ｄコンバータ３に至る経路（すなわちアナログ入力線路２１）に断線・破損等の障害がなく、かつコンパレータ１１Ａ〜１１ＣやアナログスイッチＳＷ１〜ＳＷ３の誤作動・故障がない場合には所定値の入力信号のみがＡ／Ｄコンバータ３に到達するので、Ａ／Ｄコンバータ３へ入力された入力信号の値が所定値である場合には前記経路中に障害がないと判断する。
【００１９】
一方、前記経路中やコンパレータ等に障害が生じている場合には、ＮＯＲ回路３１にＬＯＷ状態の信号が入力されず、あるいはＡ／Ｄコンバータ３に到達した入力信号の値が所定値以外になるので、入力信号の値が所定値以外である場合には前記経路中に障害が発生していると判断する。このように障害が発生していると判断された場合には、障害が発生した旨を図示しない表示部にて表示すると共に図示しない印刷部にて印刷出力する（これにより本障害監視動作が終了する）。したがってユーザはこの表示によって障害の発生を早期かつ確実に知ることができ、早期の復旧対応をとることが可能となる。
なお前記のように本監視動作によって障害の有無を監視できる範囲はアナログ入力基盤１０Ａ〜１０Ｃに限られず、アドレス線路２０ａ〜２０ｃ及びアナログ入力線路２１あるいはＶｃｃ電源等の電源障害をも監視することができる（これらアナログ入力基盤１０Ａ〜１０Ｃ以外の監視可能部分を周辺部とする）。
【００２０】
また前記障害監視動作においてはアドレス線路２０ａ〜２０ｃの全てにＬＯＷ状態のアドレス信号を送信するものとしたが、逆にアドレス線路２０ａ〜２０ｃの全てにＨＩ状態のアドレス信号を送信することにより、アナログスイッチＳＷ４を含む全てのアナログスイッチＳＷ１〜ＳＷ４の障害を監視することができる。すなわち全てにＨＩ状態のアドレス信号を送信した場合、全てのアナログスイッチＳＷ１〜ＳＷ４が正常であれば開状態となるためアナログ入力線路２１には電流が流れず、Ａ／Ｄコンバータ３には信号が入力されない。しかしアナログスイッチＳＷ１〜ＳＷ４のうちいずれか一つが故障等により閉状態となっていれば、Ａ／Ｄコンバータ３に信号が入力される可能性がある（少なくともアナログスイッチＳＷ４が閉状態となっていれば、Ａ／Ｄコンバータ３には前記所定値の信号が入力される）。したがって判断部６にて信号の有無を判断することにより、アナログスイッチＳＷ１〜ＳＷ４の障害の有無を判断することができる。
【００２１】
さてこれまで本発明の一実施形態について説明したが、本発明は前記に示した実施形態に限定されず、その技術的思想の範囲内において種々異なる形態にて実施されてよいものであり、以下、これら異なる形態について説明する。
まずアナログ入力基盤１０Ａ〜１０Ｃの構成、具体的にはコンパレータ１１Ａ〜１１Ｃ、ディップスイッチ１２Ａ〜１２Ｃ及びアナログスイッチＳＷ１〜ＳＷ３の配置及び設定は前記実施形態に示したものに限られず、周知のあらゆるものが採用されてよい。また障害監視動作のタイミングは実施形態に示したものに限られず、その他の任意のタイミングで実施されてよい。例えばタイマ４を省略し、指示ボタンを介しての手動指示にて障害監視動作を行ってもよい。またアナログ入力基盤１０Ａ〜１０Ｃ内に予備回線や予備スイッチを設け、障害を発見した場合には予備回線や予備スイッチに自動的に切り替えることにより、アナログ入力基盤１０Ａ〜１０Ｃの機能維持を図ってもよい。
【００２２】
【発明の効果】
前記したように請求項１、２に記載の本発明は、アナログ入力線路に所定値のテスト信号を出力するためアナログ入力線路に接続された終端部を設け、機器本体には、アナログ入力線路に所定値のテスト信号が出力されるよう終端部に対し所定の監視タイミングにて信号を出力する出力部と、所定の監視タイミングを基準とする所定の同期タイミングにおいてアナログ入力線路を介して入力された入力信号の値を判断することによりアナログ入力部等の障害の有無を判断する判断部とを設けたことにより、アナログ入力部等の所定範囲における障害発生を確実に発見することができ、火災報知機器の信頼性を一層向上させることができる。
【００２３】
しかも請求項３に記載の本発明は、機器本体には監視タイミングを決定するタイマを設けたことにより、任意の周期により自動的に障害監視動作を行うことができ、人手を完全に不要として一層簡易に障害発生を監視することができる。
【図面の簡単な説明】
【図１】本発明の一実施形態におけるＣＰＵ基盤、アナログ入力基盤及び終端基盤の要部回路図である。
【図２】従来のＣＰＵ基盤及びアナログ入力基盤の要部回路図である。
【符号の説明】
１、１０１    ＣＰＵ基盤
２、１０２    出力部
３、１０３    Ａ／Ｄコンバータ
４    タイマ
５    監視制御部
６    判断部
１０Ａ〜１０Ｃ、１１０Ａ〜１１０Ｃ    アナログ入力基盤
１１Ａ〜１１Ｃ、１１１Ａ〜１１１Ｃ    コンパレータ
１２Ａ〜１２Ｃ、１１２Ａ〜１１２Ｃ    ディップスイッチ
ＳＷ１〜ＳＷ４、ＳＷ１０１〜ＳＷ１０３    アナログスイッチ
２０ａ〜２０ｃ、１２０ａ〜１２０ｃ    アドレス線路
２１、１２１    アナログ入力線路
３０    終端基盤
３１    ＮＯＲ回路
【図１】
0003595178.tif 000002
【図２】
0003595178.tif 000003